(57)【要約】      （修正有）【課題】数珠玉が中糸で繋がれた数珠製品の外観・体裁を損なうことなく、数珠玉の内部に遺骨・遺灰等を収納するのに十分な容量を有した空洞部を容易に設けることができる数珠製品を提供する。【解決手段】数珠玉を繋ぐ中糸４が途中分断されて、その分断箇所に、遺骨・遺灰等を収納する空洞部が内部に設けられ、空洞部の入口を塞ぐ栓８と中糸４の分断された部分を繋ぎ止める連結環９Ｒ、９Ｌとが外部に設けられた親珠３が介装されると共に、該親珠３の左右両側に、連結環９Ｒ、９Ｌを収容する貫通孔１７を有したスペーサ１６Ｒ、１６Ｌが配されている。【選択図】図３
0003184812.tif 000002
【実用新案登録請求の範囲】
【請求項１】
数珠玉が中糸で繋がれた数珠製品において、数珠玉を一連に繋ぐ中糸が途中で分断されて、その分断箇所に、遺骨・遺髪・遺爪の微小片や遺灰等を収納するための空洞部が内部に設けられ、該空洞部の入口を塞ぐ栓と前記中糸の分断された部分を夫々繋ぎ止める左右一対の連結環とが外部に設けられた親珠が介装されると共に、該親珠の左右両側に、前記連結環を収容する貫通孔を有したスペーサが配されていることを特徴とする数珠製品。
【請求項２】
前記中糸の分断された部分が、つぶし玉によって前記連結環に繋ぎ止められると共に、該つぶし玉が、前記スペーサの貫通孔もしくは前記スペーサとは別個に配されたスペーサの貫通孔に収容されている請求項1記載の数珠製品。
【請求項３】
前記スペーサが、平珠型、みかん珠型、丸珠型もしくはリング型に形成されている請求項１又は２記載の数珠製品。
【請求項４】
前記親珠が、金属製の玉からなり、その玉の外部に金属からなる前記連結環がロウ付けされている請求項１、２又は３記載の数珠製品。
【請求項５】
前記空洞部の入口に、その入口を塞ぐ栓となるネジを着脱可能に取り付けるネジ穴が設けられている請求項１、２、３又は４記載の数珠製品。
【請求項６】
前記中糸が、第一の中糸と第二の中糸とに分断されて、その分断された部分である第一の中糸の片端部側と第二の中糸の片端部側とが、夫々前記連結環に繋ぎ止められると共に、第一の中糸の他端部側と第二の中糸の他端部側に、その他端部側同士を繋ぎ合わせるためのクラスプが取り付けられている請求項１、２、３、４又は５記載の数珠製品。
【請求項７】
前記中糸が、伸縮性を有する一本の中糸からなり、該中糸の片端部と他端部との間が分断されて、その片端部と他端部が夫々前記連結環に繋ぎ止められている請求項１、２、３、４又は５記載の数珠製品。
【考案の詳細な説明】
【技術分野】
【０００１】
本考案は、数珠玉が中糸（数珠糸、数珠紐ともいう。）で繋がれた数珠製品に関するもので、本考案における数珠製品は、仏教法具（仏具）として使用される本式数珠・略式数珠のみならず、御守りとして使用される腕輪念珠（腕珠、腕数珠ともいう。）や、装身具として使用される数珠ブレスレット、数珠ネックレス等の数珠アクセサリー類を包含する概念である。
【背景技術】
【０００２】
近年、御守りとして手首に付ける房無しの腕輪念珠や、アクセサリーとして着用する数珠ブレスレットが流行しており、数珠ブレスレットとしては、水晶、オニキス、タイガーアイ、翡翠、ガーネット、アメジスト、ラピスラズリ、メノウ、ターコイズ、天眼石、ラリマー等の天然石からなる数珠玉や、欅、檜、杉、白檀、紫檀、黒檀等からなる木製の数珠玉（木珠）、あるいは真珠、珊瑚、象牙、ガラス、プラスチック、金属等々の各種素材からなる数珠玉が、オペロンゴム糸（商品名）、モビロンゴム糸（商品名）等のポリウレタン製ゴム糸や、シリコンゴム糸からなる伸縮性を有する中糸によって環状に繋がれたゴムブレスレットともいうフリーサイズ仕様のものが一般に普及している。
【０００３】
そして、幸運をもたらしたり願いを叶えてくれるなどの特殊な力が宿っているといわれるパワーストーンからなる数珠玉を用いた腕輪念珠や数珠ブレスレットは、今やファッションアイテムとして定着し、見る人に違和感や奇異な印象を与えることも然程なくなっていることから、心願成就や安全祈願、健康祈願、厄除け・厄払い、運気向上等の御守りとして毎日のように日常的に着用する人も多くなっている。
【０００４】
また、腕輪念珠や数珠ブレスレットは、仏教法具として使用することはできないものの、一般の貴金属アクセサリーやファッションアクセサリーあるいはジュエリー製品とは違って、葬儀や法事、法要の際に着用していても差し支えないものである。
【０００５】
以上のような諸事情に着目した本願の考案者は、数珠玉の内部に空洞部を設け、その空洞部に故人や亡きペットの遺骨・遺髪・遺爪の微小片や遺灰等を人知れず収納して日常的に手元で供養することができる腕輪念珠や数珠ブレスレット等の数珠製品の企画開発に着手した。
【０００６】
しかしながら、数珠玉は、その中心部を貫通するように、中糸を挿し通すための数珠孔が設けられているから、該数珠孔が設けられた箇所を避けて数珠玉の内部に空洞部を設ける加工は非常に面倒で且つ困難であり、その加工コストが著しく嵩むという問題があると同時に、遺骨・遺灰等を収納するのに十分な容量を有した空洞部を設けることが困難であるという問題があった。
【０００７】
なお、従来技術として、図７の如く、透明アクリル樹脂や水晶玉、ガラス玉からなる数珠玉５１の内部に、その数珠玉５１を繋ぐ中糸となる紐５２を挿通する数珠孔となる挿通孔５３が形成されると共に、該挿通孔５３を包囲するように、清めの塩として使用する塩５４を収納する空洞部５５が設けられ、数珠玉５１の外壁部５６に、空洞部５５と連通する塩の取出し口５７が穿設されて、該取出し口５７に蓋部材５８が抜き差し自在に差し込まれた「塩入り数珠」なる数珠製品の考案が提案されているが（特許文献１参照）、数珠玉５１が水晶玉やガラス玉からなる場合は、その内部を塩の取出し口５７側から刳り貫いて図示の如く挿通孔５３を包囲するような空洞部５５を設けることは、技術的に不可能と思われる。
【先行技術文献】
【特許文献】
【０００８】
【特許文献１】実用新案登録第３０１４０１０号公報
【考案の概要】
【考案が解決しようとする課題】
【０００９】
本考案は、数珠玉が中糸で繋がれた数珠製品の外観・体裁を損なうことなく維持しつつ、数珠玉の内部に遺骨・遺灰等を収納するのに十分な容量を有した空洞部を設けることができるようにすると共に、その空洞部を設ける加工が容易に行えるようにすることを技術的課題としている。
【課題を解決するための手段】
【００１０】
上記課題を解決するために、本考案は、数珠玉が中糸で繋がれた数珠製品において、数珠玉を一連に繋ぐ中糸が途中で分断されて、その分断箇所に、遺骨・遺髪・遺爪の微小片や遺灰等を収納するための空洞部が内部に設けられ、該空洞部の入口を塞ぐ栓と前記中糸の分断された部分を夫々繋ぎ止める左右一対の連結環とが外部に設けられた親珠が介装されると共に、該親珠の左右両側に、前記連結環を収容する貫通孔を有したスペーサが配されていることを特徴とする。
【考案の効果】
【００１１】
本考案によれば、数珠玉を一連に繋ぐ中糸の分断箇所に介装される親珠が、該親珠の外部に設けられた左右一対の連結環に中糸の分断された部分を繋ぎ止めることにより、中糸に繋がれる。したがって、親珠は、その中心部に中糸を挿し通すための数珠孔を設ける必要がないから、その内部に遺骨・遺灰等を収納するための空洞部を設ける加工を容易に行うことができると同時に、遺骨・遺灰等を収納するのに十分な容量を有した空洞部を設けることができるという効果がある。
【００１２】
また、親珠の外部に設けられた左右一対の連結環は、親珠の左右両側に配されたスペーサが有する貫通孔に収容されて、該スペーサで覆われることとなる。したがって、親珠の外部に設けられた左右一対の連結環が数珠製品の外側に露出・露呈して該製品の外観・体裁が損なわれるおそれがないという効果がある。
【図面の簡単な説明】
【００１３】
【図１】本考案の第一実施例に係る数珠製品の正面図
【図２】本考案の第一実施例に係る数珠製品の一部断面を示す背面図
【図３】本考案の第一実施例に係る数珠製品の一部断面を示す部分拡大背面図
【図４】本考案の第一実施例に係る数珠製品の親珠の断面図
【図５】本考案の第二実施例に係る数珠製品の一部断面を示す背面図
【図６】本考案の第三実施例に係る数珠製品の親珠の断面図
【図７】従来技術に係る数珠製品の数珠玉の断面図
【考案を実施するための形態】
【００１４】
本考案の実施形態に係る数珠製品は、例えば、パワーストーンと呼ばれている天然石や、木珠、真珠、珊瑚、象牙、ガラス、プラスチック、金属等の各種素材で造られた数珠玉を一連に繋ぐ中糸が途中で分断されて、その分断箇所に、納骨後に分骨された遺骨の微小片や遺灰等を収納するための空洞部が内部に設けられ、該空洞部の入口を塞ぐ栓と前記中糸の分断された部分を夫々繋ぎ止める左右一対の連結環とが外部に設けられた親珠が介装されると共に、該親珠の左右両側に、前記連結環を収容する貫通孔を有したスペーサが配されている数珠ブレスレットである。
【００１５】
前記親珠は、例えば、耐食性・加工性・溶接性等に優れたクロムニッケル系ステンレス鋼で造られた光沢のある金属製の玉からなり、その玉の外部にステンレス等の金属からなる前記連結環がロウ付けして取り付けられている。また、前記空洞部の入口には、その入口を塞ぐ栓となるネジを着脱可能に取り付けるネジ穴が設けられている。
【００１６】
前記スペーサは、数珠玉の素材として普遍的に用いられている各種素材によって平珠（そろばん珠）型、みかん珠型、丸珠型もしくはリング型に形成され、該スペーサが有する貫通孔に、前記親珠の外部に設けられた前記連結環が収容されることにより、その連結環が露出・露呈して数珠ブレスレットの外観・体裁を損なうことが防止されている。
【００１７】
前記中糸は、例えば、強靭性と柔軟性とを併せ持つ耐久性・耐食性に優れた手芸用のステンレスワイヤないしナイロンコーティングステンレスワイヤからなり、該中糸が、第一の中糸と第二の中糸とに二分するように分断されて、その分断された部分となる第一の中糸の片端部側と第二の中糸の片端部側とが、前記親珠の外部に設けられた前記一対の連結環に夫々繋ぎ止められると共に、第一の中糸の他端部側と第二の中糸の他端部側に、その他端部側同士を繋ぎ合わせるためのクラスプ（留め金具）が取り付けられており、該クラスプとしては、カニカン（カニ環）ないしナスカン（ナス環）、ヒキワ（引輪）等と、これら留め金具を掛け外しする板カンやアジャスターチェーン等との組み合わせからなるフック式クラスプや、ワンタッチで付け外しができる磁石からなるマグネット式クラスプ等が用いられる。
【００１８】
なお、本考案の実施形態に係る数珠製品は、上記に限らず、数珠玉を一連に繋ぐ中糸が、オペロンゴム糸（商品名）、モビロンゴム糸（商品名）や、シリコンゴム糸等の伸縮性を有する一本の中糸からなり、該中糸の片端部と他端部との間が分断されて、その片端部と他端部が夫々前記親珠の外部に設けられた前記一対の連結環に繋ぎ止められているフリーサイズ仕様の数珠ブレスレットないし腕輪念珠であってもよい。
【実施例１】
【００１９】
図１〜図４に示す本考案の第一実施例に係る数珠製品１は、パワーストーンと呼ばれている水晶、アメジスト、ガーネット、オニキス、タイガーアイ、ラピスラズリ、ムーンストーン、トルマリン、ターコイズ、天眼石、ラリマー等の天然石で造られた直径約８ｍｍの数珠玉からなる２０個の主珠２、２…と、耐食性、加工性、溶接性等に優れたオーステナイト系ステンレス（SUS316L）で造られた直径約１０ｍｍの金属製の玉からなる１個の親珠３とが、例えば線径約０．２〜０．３ｍｍのステンレスワイヤもしくは線径約０．３〜０．４７ｍｍのナイロンコーティングステンレスワイヤからなる中糸４によって一連に繋がれた珠数二十一位の数珠ブレスレットであって、主珠２、２…となる各数珠玉には、その中心部を貫通するように、中糸４を挿し通す孔径約０．８〜１．５ｍｍの数珠孔５が設けられている。
【００２０】
親珠３は、その内部に、遺骨・遺髪・遺爪の微小片や遺灰等を収納するための空洞部６が設けられ、その外部に、空洞部６の入口７を塞ぐ栓８と、後述する中糸４の分断された部分を繋ぎ止める左右一対の連結環９R、９Lとが設けられている。
【００２１】
栓８は、ステンレス製のネジからなり、空洞部６の入口７には、ネジからなる栓８を着脱自在に取り付けるネジ穴１０が設けられている。また、連結環９R、９Lは、Ｃ字形ないしＵ字形に曲げ加工された線径約０．５〜０．９ｍｍのステンレスワイヤからなり、該ワイヤの端部が親珠３の外表面にロウ付けして固定されている。
【００２２】
中糸４は、第一の中糸４Ｒと第二の中糸４Ｌとに分断され、その分断された各中糸４Ｒ、４Ｌには、その中間部に孔径約４．５ｍｍの貫通孔１２を有する外径約７ｍｍの平珠（そろばん珠）型のスペーサ１１が配されると共に、該スペーサ１１を挟んでその左右両側に５個ずつ配した計１０個の主珠２、２…が繋がれている。
【００２３】
そして、中糸４が第一の中糸４Ｒと第二の中糸４Ｌとに分断される箇所に、親珠３が介装されると共に、該親珠３の左右両側に、親珠３の外部に設けられた連結環９R、９Lを収容する貫通孔１７を有したスペーサ１６Ｒ、１６Ｌが配されている。なお、スペーサ１６Ｒ、１６Ｌは、上記スペーサ１１と同種・同型のものである。
【００２４】
第一の中糸４Ｒと第二の中糸４Ｌは、夫々その片端部１３が、スペーサ１６Ｒ、１６Ｌの貫通孔１７から親珠３の連結環９Ｒ、９Ｌへと挿し通されて、各中糸４Ｒ、４Ｌの他端部１４側へ折り返されると共に、親珠３側に位置する主珠２、２…の数珠孔５からスペーサ１１の貫通孔１２へと挿し通されて、該貫通孔１２に収容可能な内径約１〜１．５ｍｍ、外径約２〜２．５ｍｍの紐留め用のつぶし玉（カシメ玉ともいう。）１５をクリンピングプライヤーやペンチ等で圧し潰して各中糸４Ｒ、４Ｌの中間部に固定されている。
【００２５】
これにより、中糸４の分断された部分である第一の中糸４Ｒと第二の中糸４Ｌの各片端部１３、１３側が、各中糸４Ｒ、４Ｌの中間部に配されたスペーサ１１の貫通孔１２に収容されるつぶし玉１５で親珠３の連結環９Ｒ、９Ｌに夫々繋ぎ止められて、中糸４が第一の中糸４Ｒと第二の中糸４Ｌとに分断される箇所に親珠３が介装されると共に、親珠３の外部に設けられた連結環９Ｒ、９Ｌを収容する貫通孔１７を有したスペーサ１６Ｒ、１６Ｌが親珠３の左右両側に配されることとなるから、親珠３の外部に設けられた連結環９Ｒ、９Ｌと、該連結環９Ｒ、９Ｌに中糸４Ｒ、４Ｌを繋ぎ止めているつぶし玉１５とが数珠ブレスレット１の外側に露出・露呈して該ブレスレットの外観・体裁が損なわれるおそれはない。
【００２６】
つまり、数珠製品１は、中糸４の分断された部分が、つぶし玉１５、１５によって親珠３の連結環９Ｒ、９Ｌに繋ぎ止められ、該連結環９Ｒ、９Ｌが、親珠３の左右両側に配されたスペーサ１６Ｒ、１６Ｌの貫通孔１７に収容されると共に、つぶし玉１５、１５が、親珠３の左右両側に配されるスペーサ１６Ｒ、１６Ｌとは別個に配されたスペーサ１１、１１の貫通孔１２に収容されるので、親珠３の外部に設けられた連結環９Ｒ、９Ｌと、該連結環９Ｒ、９Ｌに中糸４Ｒ、４Ｌを繋ぎ止めるつぶし玉１５、１５とが数珠製品１の外側に露出・露呈して該製品の外観・体裁が損なわれるおそれはない。
【００２７】
また、第一の中糸４Ｒは、その他端部１４側が、主珠２、２…の抜け落ちを防止する抜け止め用ストッパを兼ねた紐留め用のつぶし玉１８Ｒでループ部１９Ｒを形成して、片端部１３側に折り返されると共に、その折り返された余長部が、ループ部１９Ｒ側に位置する主珠２の数珠孔５に挿し通されている。
【００２８】
また、第二の中糸４Ｌは、その他端部１４側が、主珠２、２…の抜け落ちを防止するストッパを兼ねた紐留め用のつぶし玉１８Ｌでループ部１９Ｌを形成して、片端部１３側に折り返されると共に、その折り返された余長部が、ループ部１９Ｌ側に位置する主珠２の数珠孔５に挿し通されている。
【００２９】
そして、第一の中糸４Ｒの他端部１４側に形成されたループ部１９Ｒと、第二の中糸４Ｌの他端部１４側に形成されたループ部１９Ｌに、両中糸４Ｒ、４Ｌの他端部１４、１４側同士を繋ぎ合わせるフック式クラスプのカニカン２０と、該カニカン２０を掛け外しするアジャスターチェーン２１とが取り付けられており、該アジャスターチェーン２１でカニカン２０の掛け止め位置を可変して、数珠製品１の数珠ブレスレットを付ける手首の太さに応じて該ブレスレットの長さを適宜調整することができるようになっている。
【００３０】
なお、クラスプは、カニカン２０に代えてヒキワを用いるものであってもよい。また、中糸４は、ステンレスワイヤやナイロンコーティングステンレスワイヤからなるものに限らず、ナイロン糸等の合成繊維糸や、正絹紐、人絹紐等からなるものであってもよい。
【実施例２】
【００３１】
図５に示す本考案の第二実施例に係る数珠製品３１は、図１〜図４に示す第一実施例に記載された主珠２、親珠３、スペーサ１６Ｒ、１６Ｌと同一のものを用いており、これらの構成については、図１〜図４と同一符号を付して詳細説明を省略する。
【００３２】
本例の数珠製品３１は、２０個の主珠２、２…が、伸縮性を有するシリコンゴム糸もしくはオペロンゴム糸、モビロンゴム糸等からなる一本の中糸３２によって環状に連なるように繋がれると共に、該中糸３２の片端部３３と他端部３４との間が分断されて、その分断箇所に、中糸３２の片端部３３と他端部３４を夫々繋ぎ止める左右一対の連結環９Ｒ、９Ｌが設けられた親珠３が介装されると共に、該親珠３の左右両側に、親珠３の外部に設けられた連結環９Ｒ、９Ｌを収容する貫通孔１７を有したスペーサ１６Ｒ、１６Ｌが配されているフリーサイズ仕様の数珠ブレスレットないし腕輪念珠であって、中糸３２の分断された部分である片端部３３と他端部３４が、夫々親珠３の連結環９Ｒ、９Ｌに挿し通されて、親珠２の左右両側に配されたスペーサ１６Ｒ、１６Ｌの貫通孔１７に夫々収容されるつぶし玉３５で中糸３２に固定されることにより、親珠３の連結環９Ｒ、９Ｌに繋ぎ止められている。なお、つぶし玉３５は、上記つぶし玉１５、１８Ｒ、１８Ｌと同種・同型のものである。
【実施例３】
【００３３】
本考案の第三実施例に係る数珠製品は、図６の如く、親珠３の外部に、ネジ３７の頭部に皿形の笠３８とカン（環）３９とを有した極小サイズのヒートン３６が左右１本ずつ計２本植設されて、それら各ヒートン３６、３６のカン３９により、中糸の分断された部分を繋ぎ止める左右一対の連結環３９Ｒ、３９Ｌが形成されている。
【００３４】
ヒートン３６は、ネジ３７の長さ約４．０ｍｍ、笠３８の直径約２．７ｍｍ、カン３９の穴径約１．８ｍｍ、外径約３．０ｍｍ、厚み約１．２ｍｍの真鍮製ヒートンが用いられている。
【００３５】
親珠３は、木珠や、真珠、天然石、象牙、珊瑚、プラスチック等からなり、該親珠３の左右対称位置にヒートン３６のネジ３７を差し込む下穴（図示せず）が形成されて、その下穴の内部と親玉３の外表面に当接するヒートン３６の笠３８の内側面とに夫々接着剤を塗布・充填してから、ヒートン３６のネジ３７が下穴に差し込まれている。
【００３６】
これにより、ヒートン３６は、ネジ３７の部分が親珠３に形成された前記下穴に接着固定されると共に、笠３８の部分が親珠３の外表面に接着固定されて、親珠３からの抜け落ちが防止される。
【００３７】
なお、図６に記載の親珠３は、空洞部６の入口７に、図３〜図５に記載のネジからなる栓８を着脱自在に取り付けるネジ穴１０を有したナット４０が接着剤で固定して取り付けられている。
【符号の説明】
【００３８】
１…数珠製品（数珠ブレスレット）
２…主珠（数珠玉）
３…親珠
４…中糸
４Ｒ…第一の中糸
４Ｌ…第二の中糸
５…数珠孔
６…空洞部
７…空洞部の入口
８…栓（ネジ）
９Ｒ…連結環
９Ｌ…連結環
１０…ネジ穴
１１…スペーサ
１２…貫通孔
１３…第一及び第二の中糸の片端部
１４…第一及び第二の中糸の他端部
１５…つぶし玉（カシメ玉）
１６Ｒ…スペーサ
１６Ｌ…スペーサ
１７…貫通孔
１８Ｒ…つぶし玉
１８Ｌ…つぶし玉
１９Ｒ…ループ部
１９Ｌ…ループ部
２０…クラスプ（カニカン）
２１…アジャスターチェーン
３１…数珠製品（数珠ブレスレットないし腕輪念珠）
３２…中糸
３３…中糸の片端部
３４…中糸の他端部
３５…つぶし玉
３６…ヒートン
３９…ヒートンのカン
３９R…ヒートンのカンからなる連結環
３９L…ヒートンのカンからなる連結環
４０…ネジ穴を有したナット
【図１】
0003184812.tif 000003
【図２】
0003184812.tif 000004
【図３】
0003184812.tif 000005
【図４】
0003184812.tif 000006
【図５】
0003184812.tif 000007
【図６】
0003184812.tif 000008
【図７】
0003184812.tif 000009